(57)【要約】【課題】制御信号に基づいて非読出状態から読出状態に切換えて信号読出手段によってサーボ信号を含む信号を読出し、この信号を増幅器で増幅して増幅信号を出力する増幅装置及びこの増幅装置を具備する磁気記録再生装置において、短時間で利用可能な増幅信号の出力可能とする増幅装置及びこの増幅装置を具備する磁気記録再生装置を提供する。【解決手段】信号読出手段によって読出した信号を増幅器で増幅して増幅信号を出力する増幅装置において、読出状態に切換わった際の第１の所定時間は第１のカットオフ周波数を有し、第１の所定時間の経過後の第２の所定時間は第１のカットオフ周波数より低い第２のカットオフ周波数を有し、第２の所定時間の経過後には第２のカットオフ周波数より低い第３のカットオフ周波数を有する高域を通過させるフィルタ手段を設けて信号をフィルタリングすべく構成する。【選択図】    図１
2004213770.tif 000002
【特許請求の範囲】
【請求項１】
制御信号に基づいて非読出状態から読出状態に切換えて信号読出手段によってサーボ信号を含む信号を読出し、この信号を増幅器で増幅して増幅信号を出力する増幅装置において、
前記読出状態に切換わった際の第１の所定時間は第１のカットオフ周波数を有し、前記第１の所定時間の経過後の第２の所定時間は前記第１のカットオフ周波数より低い第２のカットオフ周波数を有し、前記第２の所定時間の経過後には前記第２のカットオフ周波数より低い第３のカットオフ周波数を有する高域を通過させるフィルタ手段を設けて前記信号をフィルタリングすべく構成したことを特徴とする増幅装置。
【請求項２】
前記第２の所定時間を、前記信号中の前記サーボ信号の読出時間よりも短くしたことを特徴とする請求項１記載の増幅装置。
【請求項３】
前記高域を通過させるフィルタ手段はハイパスフィルタであり、このハイパスフィルタを前記信号を増幅する第１の増幅器と第２の増幅器との間に設けたことを特徴とする請求項１または請求項２に記載の増幅装置。
【請求項４】
制御信号に基づいて記録動作状態から再生動作状態に切換えて、信号読出手段によってサーボ信号を含む信号を読出し、この信号を増幅器で増幅して増幅信号を出力する増幅装置を具備する磁気記録再生装置において、
前記再生動作状態に切換わった際の第１の所定時間は第１のカットオフ周波数を有し、前記第１の所定時間の経過後の第２の所定時間は前記第１のカットオフ周波数より低い第２のカットオフ周波数を有し、前記第２の所定時間の経過後には前記第２のカットオフ周波数より低い第３のカットオフ周波数を有する高域を通過させるフィルタ手段を設けて前記信号をフィルタリングすることを特徴とする増幅装置を具備する磁気記録再生装置。
【発明の詳細な説明】
【０００１】
【発明の属する技術分野】
本発明は、ＨＤＤやＦＤＤなどの磁気記録再生装置において記録データの再生に用いるＭＲ（Ｍａｇｎｅｔｏ  Ｒｅｓｉｓｔｉｖｅ）ヘッドと接続し、同ＭＲヘッドを用いて読出した信号を増幅して出力する増幅装置及びこの増幅装置を具備する磁気記録再生装置に関するものである。
【０００２】
【従来の技術】
従来、ＨＤＤやＦＤＤなどのように回転する記録媒体に設けた磁化層を磁化させることにより所要のデータを信号として記録するとともに、磁化層の磁化状態を検出することによりその信号を再生する磁気記録再生装置において、記録した信号を再生する場合には信号読出手段としてＭＲヘッドを用い、磁化層の磁化状態を読出している。
【０００３】
かかるＭＲヘッドは円盤状の記録媒体に対向させて位置させ、記録媒体の磁化層における磁気の変化によってＭＲヘッドの抵抗値を変化させ、このＭＲヘッドの抵抗値の変化を電圧信号として取出すことにより信号の読出しを行っているものである。
【０００４】
ここで、ＭＲヘッドに生起される抵抗値の変化は非常に微弱であるので、かかる抵抗値変動から生起した電圧変動も小さいため、通常は、図４に示すようなアンプ回路からなる増幅装置を用いて電圧信号の増幅を行い、増幅信号を出力している。
【０００５】
かかるアンプ回路では、ＭＲヘッドＲｍｒの両端をそれぞれ接続した第１ＭＲヘッド接続端子Ｘ１と第２ＭＲヘッド接続端子Ｘ２とに第１電流源Ｉ１と第２電流源Ｉ２とをそれぞれ接続してＭＲヘッドＲｍｒにバイアス電圧を印加し、記録媒体からのデータ読出しにともなうバイアス電圧の変動を第１ＭＲヘッド接続端子Ｘ１と第２ＭＲヘッド接続端子Ｘ２にそれぞれ接続した第１出力ラインＬ１と第２出力ラインＬ２から電圧信号として出力し、同第１出力ラインＬ１と第２出力ラインＬ２とを増幅器Ａに接続し、同増幅器Ａにおいて電圧信号から増幅信号を生成して、出力している。
【０００６】
特に、第１出力ラインＬ１の中途部にはＤＣカット用の第１ハイパスフィルタＨ１を設けるとともに、第２出力ラインＬ２中途部にもＤＣカット用の第２ハイパスフィルタＨ２を設けている。これらハイパスフィルタＨ１，Ｈ２のカットオフ周波数は、２００ｋＨｚ〜１ＭＨｚとしている。
【０００７】
また、アンプ回路では、第１ハイパスフィルタＨ１における第１抵抗体Ｒ１の替わりに第１トランジスタＱ１を用いて構成した第３ハイパスフィルタＨ３を設けるとともに、第２ハイパスフィルタＨ２の第２抵抗体Ｒ２の替わりに第２トランジスタＱ２を用いて構成した第４ハイパスフィルタＨ４を設け、第１スイッチＳＷ１によって第３ハイパスフィルタＨ３及び第４ハイパスフィルタＨ４の作動と、第１ハイパスフィルタＨ１及び第２ハイパスフィルタＨ２の作動とを切替えている。
【０００８】
この第３ハイパスフィルタＨ３及び第４ハイパスフィルタＨ４は、磁気記録再生装置において記録媒体に信号の書込みを行っている際に、所定の値から変動したＭＲヘッドＲｍｒのバイアス電圧に基づく電圧信号の変動を短時間で解消するために設けているものである。
【０００９】
そして、電圧信号が安定化するまでの間、アンプ回路は増幅信号の出力を行わず、電圧信号の安定化に要する時間の経過後に、増幅器Ａの出力側に設けた第２スイッチＳＷ２をオン状態とすることによって増幅信号を出力している。このように、第２スイッチＳＷ２によって増幅信号の出力開始を遅らせている間の時間を遅延時間と呼んでいる。
【００１０】
【発明が解決しようとする課題】
しかしながら、前述したＭＲヘッド用のアンプ回路では、第１ハイパスフィルタ中の第１抵抗体の抵抗値と、第２ハイパスフィルタ中の第２抵抗体の抵抗値とが全くの同一であることはなく、また、第３ハイパスフィルタ中の第１トランジスタのエミッタ抵抗と、第４ハイパスフィルタ中の第２トランジスタのエミッタ抵抗も全くの同一であることはないことによって、第１スイッチによって第３ハイパスフィルタ及び第４ハイパスフィルタの作動を開始した際に電圧信号には差電圧が生じ、差電圧を含んだ電圧信号が増幅器で増幅され、増幅された差電圧ごと出力されるおそれがあった。
【００１１】
そこで、電圧信号に含まれる差電圧の影響が無くなるまで、第２スイッチによる増幅信号の出力開始をさらに遅らせることにより差電圧の影響を解消することは可能であるが、差電圧の解消には第１ハイパスフィルタにおける時定数、及び第２ハイパスフィルタにおける時定数が関与するため、たとえば、第１ハイパスフィルタ及び第２ハイパスフィルタのカットオフ周波数を２００ｋＨｚとしていた場合にはその時定数が約０．８μｓとなり、非常に長い時間を必要とするため、記録媒体からの信号の読出開始がさらに遅れ、短時間で信号の読出しを開始することが困難になるという問題があった。
【００１２】
【課題を解決するための手段】
そこで、本発明では、制御信号に基づいて非読出状態から読出状態に切換えて信号読出手段によってサーボ信号を含む信号を読出し、この信号を増幅器で増幅して増幅信号を出力する増幅装置において、読出状態に切換わった際の第１の所定時間は第１のカットオフ周波数を有し、第１の所定時間の経過後の第２の所定時間は第１のカットオフ周波数より低い第２のカットオフ周波数を有し、第２の所定時間の経過後には第２のカットオフ周波数より低い第３のカットオフ周波数を有する高域を通過させるフィルタ手段を設けて信号をフィルタリングすべく構成した。
【００１３】
さらに、第２の所定時間を信号中のサーボ信号の読出時間よりも短くしたこと、高域を通過させるフィルタ手段をハイパスフィルタとし、このハイパスフィルタを信号を増幅する第１の増幅器と第２の増幅器との間に設けたことにも特徴を有するものである。
【００１４】
また、本発明では、制御信号に基づいて記録動作状態から再生動作状態に切換えて、信号読出手段によってサーボ信号を含む信号を読出し、この信号を増幅器で増幅して増幅信号を出力する増幅装置を具備する磁気記録再生装置において、再生動作状態に切換わった際の第１の所定時間は第１のカットオフ周波数を有し、前記第１の所定時間の経過後の第２の所定時間は第１のカットオフ周波数より低い第２のカットオフ周波数を有し、前記第２の所定時間の経過後には第２のカットオフ周波数より低い第３のカットオフ周波数を有する高域を通過させるフィルタ手段を設けて信号をフィルタリングすることとした。
【００１５】
【発明の実施の形態】
本発明の増幅装置は、制御信号に基づいて非読出状態から読出状態に切換えることにより信号読出手段によって読出したサーボ信号を含む信号を増幅器で増幅して増幅信号を出力するものであり、特に、読出状態に切換わった際の第１の所定時間は第１のカットオフ周波数を有し、第１の所定時間の経過後の第２の所定時間は第１のカットオフ周波数より低い第２のカットオフ周波数を有し、第２の所定時間の経過後には第２のカットオフ周波数より低い第３のカットオフ周波数を有する高域を通過させるフィルタ手段を設け、このフィルタ手段によって信号をフィルタリングしているものである。
【００１６】
第１の所定時間の経過後に、高域を通過させるフィルタ手段に第１のカットオフ周波数より低く、第３のカットオフ周波数よりは高い第２のカットオフ周波数を有する状態を設けることにより、この第２のカットオフ周波数を用いて信号をフィルタリングすることによって信号に含まれる差電圧を短時間で解消することができ、差電圧の影響のない増幅信号の出力を速やかに開始することができる。
【００１７】
そして、このような増幅装置を具備する磁気記録再生装置とすることによって、磁気記録再生装置が信号の読出状態に切換わった後における増幅信号の出力開始のタイミングを早めることができるので、信号の読出しが行われることなく記録媒体が回転する時間を削減することができ、記録媒体における記録密度を向上させることができる。
【００１８】
以下において、図面に基づいて本発明の実施形態を詳説する。図１は、磁気記録再生装置におけるＭＲヘッドを接続した増幅装置であるアンプ回路の回路図である。なお、前述した従来のアンプ回路（図４参照）と同一構成部分については同一符号を用いて説明を行う。
【００１９】
アンプ回路には、ＭＲヘッドＲｍｒを接続する第１ＭＲヘッド接続端子Ｘ１と第２ＭＲヘッド接続端子Ｘ２を設け、この第１ＭＲヘッド接続端子Ｘ１と第２ＭＲヘッド接続端子Ｘ２との間にＭＲヘッドＲｍｒを接続するとともに、第１ＭＲヘッド接続端子Ｘ１には第１出力ラインＬ１を接続し、さらに第２ＭＲヘッド接続端子Ｘ２には第２出力ラインＬ２を接続して、第１ＭＲヘッド接続端子Ｘ１及び第２ＭＲヘッド接続端子Ｘ２の他端を第１増幅器Ａ１に接続している。
【００２０】
また、第１ＭＲヘッド接続端子Ｘ１には第１電流源Ｉ１を接続し、第２ＭＲヘッド接続端子Ｘ２には第２電流源Ｉ２を接続してＭＲヘッドＲｍｒにバイアス電圧を印加している。図１中、Ｒ４及びＲ５はＭＲヘッドＲｍｒの安定化のために設けた抵抗体である。
【００２１】
そして、記録媒体からの信号読出しにともなうＭＲヘッドＲｍｒのバイアス電圧の変動を、第１出力ラインＬ１と第２出力ラインＬ２から電圧信号として出力し、第１増幅器Ａ１に入力し、第１増幅器Ａ１では入力された電圧信号から第１増幅信号を生成して出力している。
【００２２】
第１出力ラインＬ１の中途部には、第１コンデンサＣ１と第１抵抗体Ｒ１とから構成したＤＣカット用の第１ハイパスフィルタＨ１を設けるとともに、第２出力ラインＬ２の中途部には、第２コンデンサＣ２と第２抵抗体Ｒ２とから構成したＤＣカット用の第２ハイパスフィルタＨ２を設けている。
【００２３】
さらに、第１出力ラインＬ１の中途部には、第１抵抗体Ｒ１の替わりに第１トランジスタＱ１を用いた第３ハイパスフィルタＨ３を設けるとともに、第２出力ラインＬ２の中途部には、第２抵抗体Ｒ２の替わりに第２トランジスタＱ２を用いた第４ハイパスフィルタＨ４を設けている。
【００２４】
第１トランジスタＱ１及び第２トランジスタＱ２は、それぞれ磁気記録再生装置において記録媒体からの信号の読出しを行うリード（Ｒｅａｄ）モードと、記録媒体への信号の書込みを行うライト（Ｗｒｉｔｅ）モードとの切替えに応じて切替制御を行う第１スイッチＳＷ１によって作動制御を行っており、ライトモードにおいては第３ハイパスフィルタＨ３及び第４ハイパスフィルタＨ４を作動させ、リードモードにおいては第１ハイパスフィルタＨ１及び第２ハイパスフィルタＨ２を作動させるべく構成している。
【００２５】
図１中、Ｖ１はバイアス電源、Ｑ３は第１ハイパスフィルタＨ１及び第２ハイパスフィルタＨ２の作動制御を行うために設けた第３トランジスタ、Ｒ３は電圧調整用の第３抵抗体、Ｉ３は第３電流源、Ｉ４は第４電流源である。
【００２６】
また、第１コンデンサＣ１と第２コンデンサＣ２には同一特性のコンデンサを用い、第１抵抗体Ｒ１と第２抵抗体Ｒ２には同一特性の抵抗体を用い、第１トランジスタＱ１と第２トランジスタＱ２には同一特性のトランジスタを用い、第３電流源Ｉ３と第４電流源Ｉ４には同一特性の電流源を用いている。
【００２７】
このようなアンプ回路において、本発明の要部は、第１増幅器Ａ１の出力側に、カットオフ周波数を可変とした高域を通過させるフィルタ手段を設けていることにある。特に、本実施形態では、高域を通過させるフィルタ手段として可変ハイパスフィルタを用いている。
【００２８】
すなわち、第１増幅器Ａ１から第１増幅信号を出力する第１増幅出力ラインＬ１’に、第３コンデンサＣ３と抵抗値を可変とした第６抵抗体Ｒ６とからなる第１可変ハイパスフィルタｈ１を設け、第２増幅出力ラインＬ２’に、第４コンデンサＣ４と抵抗値を可変とした第７抵抗体Ｒ７とからなる第２可変ハイパスフィルタｈ２を設けている。
【００２９】
さらに、第１増幅出力ラインＬ１’及び第２増幅出力ラインＬ２’は第２増幅器Ａ２に接続し、第２増幅器Ａ２において第１増幅信号をさらに増幅して増幅信号を生成し、出力している。
【００３０】
第２増幅器Ａ２の出力側には、増幅信号の出力制御を行う第２スイッチＳＷ２を設け、同第２スイッチＳＷ２をオン状態とすることによって増幅信号を出力すべく構成している。
【００３１】
第１可変ハイパスフィルタｈ１及び第２可変ハイパスフィルタｈ２では、図２に示すように、第１の所定時間である遅延時間Ｔ１の間はカットオフ周波数を第１カットオフ周波数ｆ１とし、遅延時間Ｔ１の経過後に第２スイッチＳＷ２をオン状態として増幅信号の出力を開始した後には、第６抵抗体Ｒ６及び第７抵抗体Ｒ７の抵抗値を調整することにより、第２の所定時間の間、カットオフ周波数を第１カットオフ周波数ｆ１より低い第２カットオフ周波数ｆ２とし、第２の所定時間の経過後には、第６抵抗体Ｒ６及び第７抵抗体Ｒ７の抵抗値を調整することにより、カットオフ周波数を第２カットオフ周波数ｆ２より低い第３カットオフ周波数ｆ３とすべく構成している。
【００３２】
ここで、第３コンデンサＣ３と第４コンデンサＣ４には同一特性のコンデンサを用い、第６抵抗体Ｒ６と第７抵抗体Ｒ７には同一特性の可変抵抗体を用いている。
【００３３】
以下において、図２を用いて第１可変ハイパスフィルタｈ１及び第２可変ハイパスフィルタｈ２におけるカットオフ周波数の切替制御について説明する。なお、図２は、第１可変ハイパスフィルタｈ１のカットオフ周波数の切替制御を示したものであるが、第２可変ハイパスフィルタｈ２も全く同様に切替制御している。
【００３４】
磁気記録再生装置において、制御モードがライトモードの場合、すなわち磁気記録再生装置が記録動作状態であって非読出状態の場合には、第１スイッチＳＷ１はライト側とし、第２スイッチＳＷ２はオフ状態とすべく構成しており、このとき、第１可変ハイパスフィルタｈ１及び第２可変ハイパスフィルタｈ２は、第６抵抗体Ｒ６及び第７抵抗体Ｒ７の抵抗値として小さい抵抗値を選択することにより第１カットオフ周波数ｆ１を比較的高く設定している。
【００３５】
そして、磁気記録再生装置において、制御モードがライトモードからリードモードに切替わり、磁気記録再生装置が再生動作状態であって読出状態となり、予め設定していた第１の所定時間である遅延時間Ｔ１の経過後に、図示しない制御装置によって第１スイッチＳＷ１をリード側に切替えるとともに、第２スイッチＳＷ２をオン状態として、第２増幅器Ａ２から増幅信号の出力を開始する。
【００３６】
さらに、制御装置による第１スイッチＳＷ１及び第２スイッチＳＷ２の切替処理とともに、第１可変ハイパスフィルタｈ１の第６抵抗体Ｒ６及び第２可変ハイパスフィルタｈ２の第７抵抗体Ｒ７の抵抗値を大きい抵抗値に切替えることによって、第１可変ハイパスフィルタｈ１及び第２可変ハイパスフィルタｈ２が、第１カットオフ周波数ｆ１よりも低い第２カットオフ周波数ｆ２を有するべく構成している。
【００３７】
かかる第２カットオフ周波数ｆ２はできる限り低い値とする一方で、第１可変ハイパスフィルタｈ１及び第２可変ハイパスフィルタｈ２の時定数をできる限り小さくすることができるように、第６抵抗体Ｒ６及び第７抵抗体Ｒ７の抵抗値を選択している。
【００３８】
特に、時定数をできる限り小さくすることによって、第１増幅器Ａ１から出力された第１増幅信号中に含まれる差電力の影響を短時間で解消することができる。ただし、このとき、第２スイッチＳＷ２をオン状態としていることにより増幅信号の出力をおこなっているので、第２カットオフ周波数ｆ２を高く設定した場合には、必要な周波数の信号が取出せないおそれがある。これらの兼ね合いから第２カットオフ周波数ｆ２を決定している。
【００３９】
しかも、信号に含まれているサーボ信号は、第２カットオフ周波数ｆ２を比較的高く設定しても確実に読み出すことができるので、第２カットオフ周波数ｆ２の維持時間Ｔ２を、記録媒体から常に最初に読出すサーボ信号の読出時間よりも短くすべく第２カットオフ周波数ｆ２を比較的高く設定することによって、サーボ信号の読出し中に第１増幅信号中に含まれる差電力の影響を短時間で解消することができ、サーボ信号の後に読出す信号の読出を速やかに開始することができる。
【００４０】
第２カットオフ周波数ｆ２の維持時間Ｔ２である第２の所定時間の経過後、制御装置が第１可変ハイパスフィルタｈ１の第６抵抗体Ｒ６及び第２可変ハイパスフィルタｈ２の第７抵抗体Ｒ７の抵抗値をさらに大きくすることによって、第１可変ハイパスフィルタｈ１及び第２可変ハイパスフィルタｈ２が第２カットオフ周波数ｆ２より低い第３カットオフ周波数ｆ３を有するべく構成している。
【００４１】
この第３カットオフ周波数ｆ３は、必要な周波数の信号を取出可能としている周波数としている。
【００４２】
以上のように、増幅信号の出力開始後、第３カットオフ周波数ｆ３よりも高い第２カットオフ周波数ｆ２を、予め設定した維持時間Ｔ２の間維持することによって、第２カットオフ周波数ｆ２での処理により信号中に含まれている差電圧の影響を短時間で解消することができ、利用可能な増幅信号の読出しのタイミングを早めることができる。
【００４３】
このように、増幅信号の読出しのタイミングを早めることができることによって、磁気記録再生装置において信号の読出しが行われることなく記録媒体が回転する時間を削減することができるので、記録媒体における記録密度を向上させることができる。
【００４４】
本実施形態では、第１可変ハイパスフィルタｈ１及び第２可変ハイパスフィルタｈ２を、具体的には図３に示すように構成している。
【００４５】
すなわち、第１可変ハイパスフィルタｈ１は、第６抵抗体Ｒ６の部分を、一端に制御スイッチＳ１−１，Ｓ１−２，Ｓ１−３によってオンオフ制御される制御用トランジスタＴｒ１−１，Ｔｒ１−２，Ｔｒ１−３を接続したそれぞれ抵抗値の異なる第１カットオフ周波数用抵抗体Ｒ６−１と、第２カットオフ周波数用抵抗体Ｒ６−２と、第３カットオフ周波数用抵抗体Ｒ６−３とを、第１増幅出力ラインＬ１’に並列に接続して構成しており、いずれか１つの制御スイッチＳ１−１，Ｓ１−２，Ｓ１−３をオン状態とすることにより、第１カットオフ周波数用抵抗体Ｒ６−１と、第２カットオフ周波数用抵抗体Ｒ６−２と、第３カットオフ周波数用抵抗体Ｒ６−３のいずれか一つを第３コンデンサＣ３と接続させ、ハイパスフィルタを構成している。
【００４６】
また、第２可変ハイパスフィルタｈ２も同様に、第７抵抗体Ｒ７の部分を、一端に制御スイッチＳ２−１，Ｓ２−２，Ｓ２−３によってオンオフ制御される制御用トランジスタＴｒ２−１，Ｔｒ２−２，Ｔｒ２−３を接続したそれぞれ抵抗値の異なる第１カットオフ周波数用抵抗体Ｒ７−１と、第２カットオフ周波数用抵抗体Ｒ７−２と、第３カットオフ周波数用抵抗体Ｒ７−３とを、第２増幅出力ラインＬ２’に並列に接続して構成しており、いずれか１つの制御スイッチＳ２−１，Ｓ２−２，Ｓ２−３をオン状態とすることにより、第１カットオフ周波数用抵抗体Ｒ７−１と、第２カットオフ周波数用抵抗体Ｒ７−２と、第３カットオフ周波数用抵抗体Ｒ７−３のいずれか一つを第４コンデンサＣ４と接続させ、ハイパスフィルタを構成している。
【００４７】
第１カットオフ周波数ｆ１は、第３ハイパスフィルタＨ３および第４ハイパスフィルタＨ４のカットオフ周波数と一致させるべく構成してもよい。また、第３カットオフ周波数ｆ３は、第１ハイパスフィルタＨ１および第２ハイパスフィルタＨ２のカットオフ周波数と一致させるべく構成してもよい。
【００４８】
前述した第１可変ハイパスフィルタｈ１及び第２可変ハイパスフィルタｈ２を、第１増幅器Ａ１と第２増幅器Ａ２との間に設けた場合には、この第１可変ハイパスフィルタｈ１及び第２可変ハイパスフィルタｈ２の処理精度に起因する誤差の影響を第２増幅器Ａ２による増幅分だけとすることができ、増幅信号の精度を高めることができる。
【００４９】
しかしながら、第１可変ハイパスフィルタｈ１及び第２可変ハイパスフィルタｈ２を、第１増幅器Ａ１の入力側に設けた場合には、第１可変ハイパスフィルタｈ１及び第２可変ハイパスフィルタｈ２の処理精度に起因する誤差の影響が、第１増幅器Ａ１と第２増幅器Ａ２とによって増幅されることにより、増幅信号の精度が低下することとなる。
【００５０】
また、第１可変ハイパスフィルタｈ１及び第２可変ハイパスフィルタｈ２を、第２増幅器Ａ２の出力側に設けた場合には、第１可変ハイパスフィルタｈ１及び第２可変ハイパスフィルタｈ２の出力側にバッファ回路を設ける必要があり、アンプ回路が大型化するおそれがある。
【００５１】
したがって、第１可変ハイパスフィルタｈ１及び第２可変ハイパスフィルタｈ２を、第１増幅器Ａ１と第２増幅器Ａ２との間に設けることにより、第２増幅器Ａ２がバッファ回路の機能も果たすことにより、アンプ回路をコンパクトに構成することができるとともに、精度のよい増幅信号を出力することができる。
【００５２】
【発明の効果】
請求項１記載の発明によれば、制御信号に基づいて非読出状態から読出状態に切換えて信号読出手段によってサーボ信号を含む信号を読出し、この信号を増幅器で増幅して増幅信号を出力する増幅装置において、読出状態に切換わった際の第１の所定時間は第１のカットオフ周波数を有し、第１の所定時間の経過後の第２の所定時間は第１のカットオフ周波数より低い第２のカットオフ周波数を有し、第２の所定時間の経過後には第２のカットオフ周波数より低い第３のカットオフ周波数を有する高域を通過させるフィルタ手段を設けて信号をフィルタリングすべく構成したことによって、第２のカットオフ周波数を利用して増幅信号に含まれている差電圧の影響を短時間で解消することができ、利用可能な増幅信号の読出しのタイミングを早めることができる。
【００５３】
請求項２記載の発明によれば、第２の所定時間を信号中のサーボ信号の読出時間よりも短くしたことによって、差電圧の影響による不利益を受けにくいサーボ信号の出力中に差電圧の影響を解消することができ、サーボ信号の後に出力される差電圧の影響による不利益を受けやすい信号が、差電圧の影響を受けることを防止できる。したがって、増幅信号の読出しのタイミングを早めることができる。
【００５４】
請求項３記載の発明によれば、高域を通過させるフィルタ手段をハイパスフィルタとし、このハイパスフィルタを信号を増幅する第１の増幅器と第２の増幅器との間に設けたことによって、このハイパスフィルタに起因する誤差の影響を第２の増幅器による増幅分だけとすることができ、増幅信号の精度を高めることができる。なお、このハイパスフィルタを第２の増幅器の出力側に設け、ハイパスフィルタから増幅信号を出力すべく構成した場合には、ハイパスフィルタの出力側にバッファ回路が必要となるのでアンプ回路が大型化するおそれがあるが、第１の増幅器と第２の増幅器との間にハイパスフィルタを設けることにより、第２の増幅器がバッファ回路の機能を果たし、アンプ回路をコンパクトに構成することができる。
【００５５】
請求項４記載の発明によれば、制御信号に基づいて記録動作状態から再生動作状態に切換えて、信号読出手段によってサーボ信号を含む信号を読出し、この信号を増幅器で増幅して増幅信号を出力する増幅装置を具備する磁気記録再生装置において、再生動作状態に切換わった際の第１の所定時間は第１のカットオフ周波数を有し、前記第１の所定時間の経過後の第２の所定時間は第１のカットオフ周波数より低い第２のカットオフ周波数を有し、前記第２の所定時間の経過後には第２のカットオフ周波数より低い第３のカットオフ周波数を有する高域を通過させるフィルタ手段を設けて前記信号をフィルタリングすることによって、第２のカットオフ周波数を利用して増幅信号に含まれている差電圧の影響を短時間で解消することができ、利用可能な増幅信号の読出しのタイミングを早めることができる。したがって、信号の読出しが行われることなく記録媒体が回転する時間を削減することができるので、記録媒体における記録密度を向上させることができる。
【図面の簡単な説明】
【図１】本発明にかかるアンプ回路の回路図である。
【図２】可変ハイパスフィルタ回路の動作形態を説明するタイミングチャートである。
【図３】可変ハイパスフィルタ回路の回路図である。
【図４】従来のアンプ回路の回路図である。
【符号の説明】
Ｒｍｒ  ＭＲヘッド
Ｌ１  第１出力ライン
Ｌ２  第２出力ライン
Ａ１  第１増幅器
Ａ２  第２増幅器
Ｌ１’  第１増幅出力ライン
Ｌ２’  第２増幅出力ライン
ＳＷ１  第１スイッチ
ＳＷ２  第２スイッチ
Ｈ１  第１ハイパスフィルタ
Ｈ２  第２ハイパスフィルタ
Ｈ３  第３ハイパスフィルタ
Ｈ４  第４ハイパスフィルタ
ｈ１  第１可変ハイパスフィルタ
ｈ２  第２可変ハイパスフィルタ
Ｃ１  第１コンデンサ
Ｃ２  第２コンデンサ
Ｃ３  第３コンデンサ
Ｃ４  第４コンデンサ
Ｒ１  第１抵抗体
Ｒ２  第２抵抗体
Ｒ６  第６抵抗体
Ｒ７  第７抵抗体
Ｑ１  第１トランジスタ
Ｑ２  第２トランジスタ
Ｑ３  第３トランジスタ
Ｖ１  バイアス電源
【図１】
2004213770.tif 000003
【図２】
2004213770.tif 000004
【図３】
2004213770.tif 000005
【図４】
2004213770.tif 000006